(57)【要約】【課題】  オブジェクトの状況やオブジェクトの閲覧者に応じたより適切な属性情報を、撮像画像中のオブジェクトに合成して表示する。【解決手段】  オブジェクトに関連付けられた複数の属性情報から少なくとも何れか一つを選択するための関係情報を複数の属性情報を管理する管理サーバに送信する。オブジェクトの属性情報を管理サーバに要求する。要求したオブジェクトに関連付けられた複数の属性情報のうち、関係情報に基づいて選択された属性情報を表示する。【選択図】  図５
2014035642.tif 000002
【特許請求の範囲】
【請求項１】
オブジェクトに関する属性情報を表示する表示装置であって、
前記オブジェクトに関連付けられた複数の属性情報から少なくとも何れか一つを選択するための関係情報を前記複数の属性情報を管理する管理サーバに送信する送信手段と、
前記オブジェクトの属性情報を前記管理サーバに要求する要求手段と、
前記要求手段により要求した前記オブジェクトに関連付けられた前記複数の属性情報のうち、前記関係情報に基づいて選択された属性情報を表示する表示手段と
を備えることを特徴とする表示装置。
【請求項２】
前記表示手段は、前記属性情報と当該属性情報に関連する前記オブジェクトとを関連付けて表示する
ことを特徴とする請求項１に記載の表示装置。
【請求項３】
前記要求手段は、前記関係情報を受信したことに応じて前記オブジェクトの属性情報を要求する
ことを特徴とする請求項１または２に記載の表示装置。
【請求項４】
前記関係情報は、前記オブジェクトの位置を特定するための位置情報である
ことを特徴とする請求項１乃至３のいずれか１項に記載の表示装置。
【請求項５】
前記関係情報は、前記オブジェクトを一意に決定するための識別情報であって、該オブジェクトに対応する端末に固有に設定されている識別情報である
ことを特徴とする請求項１乃至３のいずれか１項に記載の表示装置。
【請求項６】
前記関係情報は、生体センサにより取得される前記オブジェクトの生体情報である
ことを特徴とする請求項１乃至３のいずれか１項に記載の表示装置。
【請求項７】
前記関係情報として前記オブジェクトの識別情報を受信した場合、前記送信手段は、該識別情報と当該画像表示装置の識別情報を含む前記要求を前記管理サーバへ送信する
ことを特徴とする請求項１乃至３のいずれか１項に記載の表示装置。
【請求項８】
前記管理サーバでは、更に、前記複数の属性情報から属性情報を選択するための属性情報適用条件が管理されている
ことを特徴とする請求項１乃至６のいずれか１項に記載の表示装置。
【請求項９】
前記管理サーバでは、更に、前記関係情報として前記オブジェクトに関係する識別情報に基づいて前記複数の属性情報から属性情報を選択する場合に、その選択を許可する前記オブジェクトに関係する識別情報を管理する
ことを特徴とする請求項１乃至８のいずれか１項に記載の表示装置。
【請求項１０】
前記要求手段は、前記送信手段による送信に基づいて、前記オブジェクトの属性情報を前記管理サーバに要求する
ことを特徴とする請求項１乃至９のいずれか１項に記載の表示装置。
【請求項１１】
オブジェクトに関する属性情報を表示する表示装置の制御方法であって、
前記オブジェクトに関連付けられた複数の属性情報から少なくとも何れか一つを選択するための関係情報を前記複数の属性情報を管理する管理サーバに送信する送信工程と、
前記オブジェクトの属性情報を前記管理サーバに要求する要求工程と、
前記要求工程により要求した前記オブジェクトに関連付けられた前記複数の属性情報のうち、前記関係情報に基づいて選択された属性情報を表示する表示工程と
を備えることを特徴とする画像表示装置の制御方法。
【請求項１２】
オブジェクトに関する属性情報を表示する表示装置の制御をコンピュータに機能させるためのプログラムであって、
前記コンピュータを、
前記オブジェクトに関連付けられた複数の属性情報から少なくとも何れか一つを選択するための関係情報を前記複数の属性情報を管理する管理サーバに送信する送信手段と、
前記オブジェクトの属性情報を前記管理サーバに要求する要求手段と、
前記要求手段により要求した前記オブジェクトに関連付けられた前記複数の属性情報のうち、前記関係情報に基づいて選択された属性情報を表示する表示手段と
して機能させることを特徴とするプログラム。
【請求項１３】
表示装置に表示させる情報を提供するための表示システムであって、
オブジェクトと複数の属性情報とを関連付けて管理する管理手段と、
前記オブジェクトに関係する位置情報、装置の識別情報、装置のセンサの出力情報のうち少なくとも何れか一つを前記オブジェクトに関係する関係情報として受信する受信手段と、
受信した前記関係情報に基づいて前記複数の属性情報から少なくとも何れか一つを選択する選択手段と、
前記表示装置から前記オブジェクトの属性情報を要求された場合、前記選択手段により選択された属性情報を前記表示装置に提供する提供手段と、
を備えることを特徴とする表示システム。
【発明の詳細な説明】
【技術分野】
【０００１】
本発明は、表示対象となるオブジェクトと、そのオブジェクトに関する属性情報を併せて表示する表示技術に関するものである。
【背景技術】
【０００２】
近年、カメラ等で撮影した現実環境の画像に現実環境中のオブジェクトに関する属性情報や、ＣＧ（Ｃｏｍｐｕｔｅｒ  Ｇｒａｐｈｉｃｓ）によるバーチャルオブジェクトを付加、合成するＡＲ（Ａｕｇｍｅｎｔｅｄ  Ｒｅａｌｉｔｙ：拡張現実）技術が盛んである。属性情報とは、様々なものがあり、例えば、オブジェクトの名前や、オブジェクトに関する情報閲覧先のリンク等でもよい。ＡＲ技術を用いたもので、例えば、非特許文献１がある。非特許文献１では、カメラをかざすと、ＧＰＳ（Ｇｌｏｂａｌ  Ｐｏｓｉｔｉｏｎｉｎｇ  Ｓｙｓｔｅｍ）による位置情報から現実の画像上に関連する識別子情報を重ね合わせて表示する携帯電話用拡張現実ソフトウェアを開示している。
【０００３】
このようなＡＲシステムにおいて、オブジェクトの近傍にオブジェクトに関連した属性情報を表示することが望まれている。すなわち、画像中に様々なオブジェクトが含まれている場合、オブジェクトに関連するそれぞれの属性情報が、どのオブジェクトの属性情報であるのかユーザがわかるような形で表示することが望ましい。
【０００４】
特許文献１のカメラでは、撮影画像に対し、この撮影画像中のオブジェクトに関連した情報を合成して表示する。これは、例えば、オブジェクトが所持する携帯情報機器から顔情報を取得して、取得した顔情報から画像認識処理を行うことで撮影画像中のオブジェクトを特定する。これにより、撮影画像中からオブジェクトを特定できるので、その近傍にオブジェクトに関連した情報を表示することができる。
【０００５】
特許文献２で提案されている画像形成装置においては、取り込む画像から、画像内にあるユーザの顔情報の特徴量を抽出し、抽出した特徴量に応じてユーザの属性を検出する。そして、検出したユーザの属性に応じたコンテンツを出力する。これにより、例えば、ユーザのニーズに応じた所定の情報を提供することを可能としている。
【０００６】
特許文献３で提案されている画像形成装置においては、被写体が撮影された画像を取得し、画像上を所定の基準に基づいて、被写体のある重要領域と、非重要領域に分類する。さらに、テキストを取得し、取得したテキストから一部の文または全文を非重要領域にはめ込んで表示する。これにより、被写体を覆うことなく、手軽に文章をはめ込んだ画像表示を可能としている。
【先行技術文献】
【非特許文献】
【０００７】
【非特許文献１】ｈｔｔｐ：／／ｓｅｋａｉｃａｍｅｒａ．ｃｏｍ
【特許文献】
【０００８】
【特許文献１】特開２００２−３０５７１７号公報
【特許文献２】特開２００２−１４０６０３号公報
【特許文献３】特開２００７−０９６８１６号公報
【発明の概要】
【発明が解決しようとする課題】
【０００９】
従来の技術には、ある一つのオブジェクトに対して複数の属性情報が存在する場合に、その属性情報の選択方法について記載されていない。例えば、あるオブジェクトに関する属性情報が、属性情報Ａと属性情報Ｂと２つ存在したとする。そのとき、ユーザＡに向けに表示したい属性情報とユーザＢ向けに表示したい属性情報が異なる場合、適切に選択を行わなければ、ユーザＡに表示したい属性情報をユーザＢに表示してしまうといった課題がある。
【００１０】
本発明は上記の課題を解決するためになされたものであり、オブジェクトの状況やオブジェクトの閲覧者に応じたより適切な属性情報を、撮像画像中のオブジェクトに合成して表示することを目的とする。
【課題を解決するための手段】
【００１１】
上記の目的を達成するための本発明による画像表示装置は以下の構成を備える。即ち、
オブジェクトに関する属性情報を表示する表示装置であって、
前記オブジェクトに関連付けられた複数の属性情報から少なくとも何れか一つを選択するための関係情報を前記複数の属性情報を管理する管理サーバに送信する送信手段と、
前記オブジェクトの属性情報を前記管理サーバに要求する要求手段と、
前記要求手段により要求した前記オブジェクトに関連付けられた前記複数の属性情報のうち、前記関係情報に基づいて選択された属性情報を表示する表示手段と
を備える。
【発明の効果】
【００１２】
本発明によれば、オブジェクトに複数の属性情報が登録されていた際に、オブジェクトに関する属性情報を、オブジェクトの状況やオブジェクトの閲覧者に応じて、自動で切り替えて提供することを可能とする。
【図面の簡単な説明】
【００１３】
【図１】実施形態１の画像表示システムの構成を示す図である。
【図２】実施形態１の特徴情報データベースの一例を示す図である。
【図３】実施形態１の属性情報データベースの一例を示す図である。
【図４】実施形態１の携帯端末の機能ブロック図である。
【図５】実施形態１の制御部の詳細機能ブロック図である。
【図６】実施形態１の基本シーケンス図である。
【図７】実施形態１の携帯端末による撮影画像の一例を示す図である。
【図８】実施形態１のプレビュー画像生成処理を示すフローチャートである。
【図９】実施形態１の本画像生成処理を示すフローチャートである。
【図１０】実施形態１及び実施形態２のシステムにおける一例を示す図である。
【図１１】実施形態１のシーケンス図である。
【図１２】実施形態１の属性情報変更部のフローチャートである。
【図１３】実施形態２の属性情報データベースの一例を示す図である。
【図１４】実施形態２の画像表示例を示す図である。
【発明を実施するための形態】
【００１４】
以下、本発明の実施の形態について図面を用いて詳細に説明する。
＜実施形態１＞
まず、図１を用いて、実施形態１の画像表示システムの基本動作について説明する。
【００１５】
図１では、携帯端末１０１が撮影を行い周囲の環境情報を得る場合について述べる。携帯端末１０１は、本発明を適用可能な画像表示装置である。携帯端末１０１は、例えば、ＩＥＥＥ８０２．１１に則った無線ＬＡＮ機能を有する携帯端末である。ここでは、携帯端末１０１の所有者は図示していない。また、携帯端末１０１は、表示対象となるオブジェクトの特徴情報に基づき、撮影画像中からそのオブジェクトを特定する。そして、携帯端末１０１は、そのオブジェクトに関する属性情報を、撮影画像中のオブジェクト画像の近傍（所定範囲内）に重ね合わせて（重畳して）表示する。ここで、図１では、携帯端末１０１の撮影範囲には人物１０２及び１０４が存在する状態を示している。
【００１６】
携帯端末１０３及び１０５は、携帯端末１０１と同一の機能を有する端末である。各携帯端末は定期的に、あるいは他端末の要求に応じて識別情報を発信する。識別情報は、端末の所有者を一意に決定するための識別子であり、各携帯端末にそれぞれ固有に設定される情報（例えば、ＭＡＣアドレス）である。識別情報は、例えば、ＩＥＥＥ８０２．１１に則ったビーコン・フレームのＩｎｆｏｒｍａｔｉｏｎ  Ｅｌｅｍｅｎｔの一要素として付与され、送信されるものとする。
【００１７】
携帯端末１０３及び１０５の所有者はそれぞれ人物１０２及び１０４である。中継サーバ１０７は、ネットワーク１０６を介して、各携帯端末より識別情報をもとに問い合わせを受けると、システム管理サーバ１０８に識別情報の送信を行う。また、中継サーバ１０７は、システム管理サーバ１０８からの問い合わせ結果を各携帯端末に返信する機能を有する。
【００１８】
システム管理サーバ１０８は、本システムにおける管理機能を有し、識別子を使用したシステムにおける問い合わせ、認証、変更・登録等の要求に応じて、特徴情報管理サーバ１０９と属性情報管理サーバ１１０に対して、命令を与える。また、システム管理サーバ１０８は、特徴情報管理サーバ１０９と属性情報管理サーバ１１０からの結果を各携帯端末に返信する。
【００１９】
特徴情報管理サーバ１０９は、識別子毎に特徴情報を特徴情報データベースに保持する。また、特徴情報管理サーバ１０９は、特徴情報データベースから、ある識別情報を発信する携帯端末の所有者の特徴情報を返信する。属性情報管理サーバ１１０は、識別子毎に属性情報を属性情報データベースに保持する。属性情報管理サーバ１１０は、ある識別子に関する属性情報の要求をシステム管理サーバ１０８より受信すると、その属性情報を属性情報データベースから検索を行い、照会結果を返信する。
【００２０】
特徴情報管理サーバ１０９が保持する特徴情報データベースの概念図を図２に示す。携帯端末の所有者を一意に決定するための識別子として識別情報が登録されており、更にそれぞれに携帯端末の所有者の特徴情報として、所有者の名前及び顔の特徴情報も登録されている。実施形態１では、名前はテキストデータで格納されているものとする。また、顔の特徴情報はビットマップデータで格納されているものとする。
【００２１】
属性情報管理サーバ１１０が保持するデータベースの概念図を図３に示す。携帯端末の所有者を一意に決定するための識別子として識別情報が特徴情報管理サーバ１０９と同様に登録されており、更にそれぞれに該携帯端末の所有者の属性情報も登録されている。携帯端末１０３の所有者である人物１０２には、属性情報が３つある状態である。１つ目の属性情報には、人物１０２のプロフィールに関する情報が割り当てられている。２つ目の属性情報には、人物１０２の趣味（サッカー）に関する情報が割り当てられている。３つ目の属性情報には、人物１０２の趣味（野球）に関する情報が割り当てられている。また、携帯端末１０５の所有者である人物１０４には、人物１０４に関するプロフィールが属性情報として格納されているものとする。このように、オブジェクト毎（人物１０２、人物１０４等）に複数の属性情報が関連付けられている。
【００２２】
また、各属性情報には、その属性情報を表示させるための適用条件が付与されている。属性情報１はデフォルト設定で、通常は他の携帯端末からの人物１０２に付与された識別情報を使用した属性情報の問い合わせが属性情報管理サーバ１１０で受信した場合は、属性情報１が応答される。属性情報２及び属性情報３は、事前に携帯端末１０３から、所定の情報を伴う属性情報変更要求を属性情報管理サーバ１１０が受信した場合に適用される。
【００２３】
図４は実施形態１の画像表示装置である携帯端末１０１の内部構成を示す。尚、上述のように、携帯端末１０３及び１０５は、携帯端末１０１と同一の機能を有するので、携帯端末１０１及び１０５も、図４に示す携帯端末１０１の内部構成と同一の内部構成を有する。
【００２４】
制御部４０１は、携帯端末１０１の全体の制御を担う機能を有する。詳しくは後述の図５で説明する。携帯端末１０１を構成する全てのモジュールは、システムバス４０２によって接続されて、制御部４０１より制御が可能な構成を有する。無線通信部４０３は無線ＬＡＮで他の無線装置との間で無線信号の送受信を行うためのアンテナや回路等のハードウェアからなる。識別情報格納部４０４は、携帯端末１０１が固有に割り当てられた識別子に係る情報を格納する機能を有する。例えば、この情報には、ＭＡＣアドレスが用いられる。
【００２５】
センサ部４０５は、各種センサのハードウェアである。実施形態１では、血圧や心拍数や体温情報を取得する生体センサ、及び、ＧＰＳ、電子コンパスが搭載されているものとする。撮像部４０６は、撮像のためのハードウェアである。具体的には、レンズ、焦点を制御するモータ、撮像した情報をアナログデータとして取得する画像センサ、画像センサの出力をデジタルデータに変換するＡＤ変換部、ストロボ部、シャッター部等であるが、本発明の骨子ではないため詳細は割愛する。
【００２６】
表示部４０７は、画像情報を表示する機能を有する。実施形態１では、液晶ディスプレイが搭載されているものとする。画像処理部４０８は、撮像部４０６より取り込んだデータの画像処理を行うハードウェアである。記憶部４０９は、携帯端末１０１が扱う各種情報やプログラムを格納する機能を有する。
【００２７】
次に、制御部４０１が有する各種処理機能に関して図５を用いて説明する。尚、ここででは、全ての処理機能は制御部４０１が処理するプログラムとして実現されているものとする。
【００２８】
無線通信制御部５０１は、無線ＬＡＮで他の無線装置との間で無線信号の送受信を行うための無線通信部４０３（アンテナや回路）の制御及び通信を制御するためのプログラムからなる。撮像制御部５０２は、撮像部４０６（レンズやＡ／Ｄ変換部）を制御するプログラムから構成され、撮影を実施することで画像データを作成する機能を有している。表示制御部５０３は、撮影した画像データを表示するための表示部４０７を制御するプログラムから構成される。
【００２９】
識別情報取得部５０４は、無線通信部４０３を使用することで識別情報を受信するためのプログラムである。特徴情報取得部５０５は、無線通信部４０３を使用することで識別情報取得部５０４より取得した識別情報をもとにしてシステム管理サーバ１０８に、識別情報に関連付けられた特徴情報を問い合わせるためのプログラムである。属性情報取得部５０６は、無線通信部４０３を使用することで識別情報取得部５０４より取得した識別情報をもとにしてシステム管理サーバ１０８に、識別情報に関連付けられた属性情報を問い合わせるためのプログラムである。
【００３０】
オブジェクト特定部５０７は、特徴情報取得部５０５で得られた特徴情報（例えば、顔の特徴情報）をもとに撮像部４０６から得られた画像データ中から、オブジェクトの位置を特定するためのプログラムである。プレビュー画像合成部５０８は、画像中に属性情報取得部５０６で取得した属性情報を合成するためのプログラムである。尚、プレビュー画像合成部５０８では、オブジェクト特定部５０７で特定したオブジェクトの位置は用いない。画像合成部５０９は、オブジェクト特定部５０７で特定されたオブジェクトの近傍（所定範囲内）または任意の場所に、属性情報取得部５０６で取得したオブジェクトの属性情報を合成し、合成画像データを作成するためのプログラムである。
【００３１】
センサ制御部５１０は、携帯端末１０１の位置を特定するための緯度、経度、方位、高度等の情報を取得するＧＰＳ及び電子コンパスや、血圧、脈拍、体温等の生体情報を取得する生体センサから構成されるセンサ部４０５を制御するプログラムである。記憶制御部５１１は、携帯端末１０１を制御するためのプログラムやデータが格納された記憶部４０９を使用する上でのプログラムである。属性情報変更部５１２は、所定の条件に基づき携帯端末１０１に割り当てられている識別情報と関連付けられた属性情報の変更要求を行う。また、所定の条件に基づき他の携帯端末に割り当てられている識別情報と関連付けられた属性情報の変更要求も行う。変更要求は、無線通信部４０３を使用して、システム管理サーバ１０８へ送信される。
【００３２】
次に、携帯端末１０１が撮影する際に発生する携帯端末１０３及び１０５、及びシステム管理サーバ１０８、特徴情報管理サーバ１０９、属性情報管理サーバ１１０とのメッセージを示すシーケンスを図６に示す。
【００３３】
まず、携帯端末１０１のシャッターボタンを押すことで撮影が開始される（Ｓ６０１）。このとき、表示部４０７に表示される図７（ａ）に示す。画像は撮像部４０６によって生成された画像（撮像画像）である。図７（ａ）には撮像画像中のオブジェクト画像７０１とオブジェクト画像７０２が表示されている。オブジェクト画像７０１とオブジェクト画像７０２は、それぞれ人物１０２と人物１０４が撮影された画像に相当する。
【００３４】
撮影後、携帯端末１０１は識別情報取得部５０４によって識別情報を周囲の端末に対して要求する。具体的には、無線通信部４０３によりＩＥＥＥ８０２．１１に則ったプローブ・リクエスト・フレームを属性情報要求としてブロードキャストで送信する（Ｓ６０２）。プローブ・リクエスト・フレームを受信した携帯端末１０３及び１０５は、センサ制御部５１０により自身の位置情報を取得する（Ｓ６０３及びＳ６０４）。そして、携帯端末１０３及び１０５は識別情報と位置情報を付与したプローブ・レスポンス・フレームで識別情報応答としてそれぞれ応答する（Ｓ６０５）。
【００３５】
携帯端末１０１は、識別情報応答であるプローブ・レスポンス・フレームを受信すると、携帯端末１０３及び１０５の識別情報と位置情報を得ることができる。取得される識別情報は、図２に表わされる２つの識別情報である。携帯端末１０１は、識別情報取得部５０４によって識別情報を取得すると、次に、属性情報取得部５０６を用いて、その識別情報を発信する人物の属性情報を属性情報取得要求によってシステム管理サーバ１０８に問い合わせる（Ｓ６０６）。このとき、該問い合わせに対して取得した識別情報を付与することで、どの人物の情報を得たいのかがシステム管理サーバ１０８で判別することができる。さらには、識別情報格納部４０４に格納された携帯端末１０１の識別情報も付与することで、システム管理サーバ１０８は、どの携帯端末からの問い合わせであるかという情報も取得できる。
【００３６】
システム管理サーバ１０８は、携帯端末１０１より問い合わせとして属性情報取得要求を受信すると、その内容を確認する（Ｓ６０７）。そして、属性情報取得要求であるとわかると、受信した識別情報をもとに属性情報照会要求を属性情報管理サーバ１１０に送信する（Ｓ６０８）。
【００３７】
属性情報照会要求を受信した属性情報管理サーバ１１０は、属性情報データベースから該識別情報に関連付けられた属性情報を検索する（Ｓ６０９）。属性情報管理サーバ１１０は、検索結果を属性情報照会応答としてシステム管理サーバ１０８に返信する（Ｓ６１０）。システム管理サーバ１０８は、属性情報管理サーバ１１０より、属性情報照会応答を受信すると、この属性情報照会応答が元々どの属性情報照会要求に対する応答であるかの確認を行う（Ｓ６１１）。システム管理サーバ１０８は、確認が終了すると、取得した該識別情報に関連付けられた属性情報を属性情報取得応答として携帯端末１０１に送信する（Ｓ６１２）。属性情報取得応答を受信した携帯端末１０１は、プレビュー画像合成部５０８によりプレビュー画像を生成し、表示部４０７を用いて該プレビュー画像を表示するプレビュー画像生成処理を実行する（Ｓ６１３）。
【００３８】
図８にプレビュー画像合成部５０８におけるプレビュー画像生成処理を示す。プレビュー画像生成処理は、Ｓ６１２で取得した識別情報（識別子）それぞれに対して処理を行う。ここでは、人物１０２及び１０４の順に処理を行うとする。
【００３９】
まず、ステップＳ８０１において、人物１０２及び１０４のそれぞれの識別情報に関する属性情報を取得したか否かを判定する。取得していない場合（ステップＳ８０１でＮＯ）、取得するまで待機する。一方、取得した場合（ステップＳ８０１でＹＥＳ）、ステップＳ８０２に進む。
【００４０】
次に、ステップＳ８０２において、プレビュー画像合成部５０８は、取得した携帯端末１０３及び携帯端末１０５の属性情報を画像に合成して表示する。このとき、プレビュー画像合成部５０８は、取得した携帯端末１０１の位置情報と、携帯端末１０３及び携帯端末１０５の位置情報から、携帯端末１０１と携帯端末１０３と携帯端末１０５の位置関係を計算する。そして、プレビュー画像合成部５０８は、その計算結果に応じて属性情報を表示する位置を決定しても良い。
【００４１】
ステップＳ８０３において、全ての識別情報に関しての属性情報の合成処理が完了したか否かを判定する。完了していない場合（ステップＳ８０３でＮＯ）、ステップＳ８０１に戻る。一方、完了している場合（ステップＳ８０３でＹＥＳ）、処理を終了する。
【００４２】
以上の処理に基づいて、合成された画像を図７（ｂ）に示す。吹き出し画像７０３及び７０４はそれぞれ表示された人物１０２（オブジェクト画像７０１）及び１０４（オブジェクト画像７０２）の属性情報が付与された吹き出し画像である。吹き出し画像７０３は、人物１０２が携帯端末１０１から見て右側に存在するため、おおよその位置に基づいて、図７（ｂ）の左側に表示される。同様に、吹き出し画像７０４は、携帯端末１０１から見て右側に存在するため、先に取得した各携帯端末の位置情報に合わせ、おおよその位置で属性情報が表示される。
【００４３】
図６の説明に戻る。プレビュー画像生成を行った携帯端末１０１は、特徴情報取得部５０５を用いて、その識別情報を発信する人物の特徴情報を特徴情報取得要求としてシステム管理サーバ１０８に問い合わせる（Ｓ６１４）。システム管理サーバ１０８は携帯端末１０１より問い合わせとして特徴情報取得要求を受信すると、その内容を確認する（Ｓ６１５）。システム管理サーバ１０８は、特徴情報取得要求を受信すると、受信した識別情報をもとに特徴情報照会要求を特徴情報管理サーバ１０９に送信する（Ｓ６１６）。
【００４４】
特徴情報照会要求を受信した特徴情報管理サーバ１０９は、特徴情報データベースから該識別情報に関連付けられた特徴情報を検索する（Ｓ６１７）。そして、検索結果を特徴情報照会応答としてシステム管理サーバ１０８に返信する（Ｓ６１８）。特徴情報管理サーバ１０９から特徴情報照会応答を受信したシステム管理サーバ１０８は、特徴情報照会応答の確認を行う（Ｓ６１９）。そして、識別情報に関連付けられた特徴情報を特徴情報取得応答として携帯端末１０１に送信する（Ｓ６２０）。携帯端末１０１は、システム管理サーバ１０８より特徴情報取得応答によって特徴情報（例えば、顔の特徴情報）を取得すると、画像合成部５０９により本画像を生成する本画像生成処理を実行する（Ｓ６２１）。
【００４５】
携帯端末１０１の本画像生成処理を図９を用いて説明する。
【００４６】
まず、ステップＳ９０１において、特徴情報を取得したか否かを判定する。特徴情報を取得していない場合（ステップＳ９０１でＮＯ）、取得するまで待機する。一方、特徴情報を取得した場合（ステップＳ９０１でＹＥＳ）、ステップＳ９０２に進む。
【００４７】
ステップＳ９０２において、オブジェクトの特定処理を行う。具体的には、元々、撮像した画像である図７（ａ）の画像情報と、受信した特徴情報でパターンマッチング処理を行い、マッチング結果に応じてオブジェクトの特定の可否を決定するものとする。次に、ステップＳ９０３において、オブジェクトを特定できるか否かを判定する。オブジェクトを特定できない場合（ステップＳ９０３でＮＯ）、ステップＳ９０５に進み、該当する識別情報に関連付けられている属性情報を画像から削除する。一方、オブジェクトを特定できる場合（ステップＳ９０３でＹＥＳ）、ステップＳ９０４において、既に表示されている属性情報をオブジェクトに対応づけて再合成を行う。
【００４８】
図７（ｂ）では、識別情報取得時に、併せて位置情報も取得を行ったので、おおまかな位置に属性情報が配置されているが、オブジェクトに完全に対応づけられて表示されてはいない状態である。この状態から、例えば、吹き出し画像の形状を変えることにより、オブジェクトに対応づけられた表示に再合成を行う。併せて、属性情報の表示位置も関連付けら得られたオブジェクトの近傍（例えば、オブジェクトの重心位置から所定範囲内）にくるように再合成を行う。
【００４９】
ステップＳ９０６において、全ての属性情報に関して、破棄、または、再合成処理が完了したか否かを判定する。まだ、全ての属性情報に関しての再合成処理が完了していない場合（ステップＳ９０６でＮＯ）、ステップＳ９０１に戻り、上記一連の処理が繰り返される。一方、全ての属性情報に関しての再合成処理が完了している場合（ステップＳ９０６でＹＥＳ）、処理を終了する。
【００５０】
本画像作成終了時において表示される画像を図７（ｃ）に示す。図７（ｂ）の吹き出し画像７０３及び７０４それぞれが、図７（ｃ）では、吹き出し画像７０５及び７０６として、再描画される。
【００５１】
以上により、オブジェクトの属性情報を画像処理に基づいて特定する前にプレビュー画像を一旦ユーザに表示（仮表示）することによって、ユーザは属性情報を早く閲覧することができ得る。また、その後に、オブジェクト近傍に属性情報を再描画することで、どのオブジェクトがその属性情報に関連付けられているかが判別しやすくなる。
【００５２】
また、オブジェクトが存在しない属性情報が表示されていると、携帯端末１０１を使用しているユーザは、表示されている属性情報は画像中にあるオブジェクトのものだと誤解する可能性がある。しかし、オブジェクトが特定できなかった属性情報は表示しないようにする（破棄する）ことで、そのような誤解を防ぐことができる。
【００５３】
以上が、本発明における画像表示システムについて基本的な処理、動作である。
【００５４】
次に、画像表示システムにおいて、ある識別情報に複数の属性情報が関連付けられており、複数の属性情報から任意の一つの属性情報を選択する方法について説明する。まず、適用可能なシステムを図１０（ａ）に示す。サッカー場１００３と野球場１００４にはそれぞれ識別情報発信器１００１及び１００２が備え付けられている。識別情報発信器１００１には「Ａ」という識別情報（サッカー場１００３であることを示す識別情報）を発信する能力を有する。識別情報発信器１００２は「Ｂ」という識別情報（野球場１００４であることを示す識別情報）を発信する能力を有する。１００５は、オフィス街である。他の構成要素は、図１に示す構成要素と同一である。
【００５５】
次に、実施形態１における属性情報の変更方法について説明する。図１１は、図１０（ａ）のシステムにおいて、人物１０２に関する属性情報が変更されるまでにやり取りされる各機器間のメッセージを示すシーケンスである。尚、図１１は、人物１０２がオフィス街１００５におり、人物１０２の属性情報は、属性情報１（プロフィール）が適用されている状態からの説明図である。
【００５６】
携帯端末１０３は、定期的に周囲の環境の識別情報のスキャンを実施している（Ｓ１１０１）。また、サッカー場１００３に備え付けられた識別情報発信器１００１は、定期的に識別情報「Ａ」を発信している（Ｓ１１０２）。この状態で、人物１０２が携帯端末１０３を所持しながら、オフィス街１００５からサッカー場１００３への移動を開始する（Ｓ１１０３）。すると、サッカー場１００３近傍に人物１０２が近づいた時、携帯端末１０３に識別情報発信器１００１の情報が届き始める（Ｓ１１０４）。
【００５７】
あるスキャン（Ｓ１１０１）のタイミングで、識別情報「Ａ」を受信する（Ｓ１１０５）。携帯端末１０３は、携帯端末１０３に付与されている識別情報を確認する（Ｓ１１０６）。確認した識別情報を問い合わせ元として、携帯端末１０３は、システム管理サーバ１０８に属性情報変更要求を送信する（Ｓ１１０７）。属性情報変更要求を受信したシステム管理サーバ１０８は、受信した要求の確認処理を行う（Ｓ１１０８）。その際、属性情報変更要求であることが分かると、属性情報管理サーバ１１０へ属性情報変更要求を送信する（Ｓ１１０９）。
【００５８】
属性情報変更要求を受信した属性情報管理サーバ１１０は、まず、要求元が適切であるか確認を行う（Ｓ１１１０）。ここで、受信した要求が、携帯端末１０３が携帯端末１０３に保持している識別情報に関連付けられている属性情報の変更要求であることを確認すると、属性情報の変更（選択）を行う（Ｓ１１１１）。ここで、どの属性情報に変更させるかは、携帯端末１０３より送信された属性情報変更要求に識別情報発信器１００１から受信した識別情報「Ａ」を付与することにより確認ができる。
【００５９】
属性情報を変更した属性情報管理サーバ１１０から、システム管理サーバ１０８を経由して、属性情報が変更されたことを通知するための属性情報変更応答が携帯端末１０３へ送信する（Ｓ１１１２、Ｓ１１１３、Ｓ１１１４）。応答を受信した携帯端末１０３は、新しく適用された属性情報、または新しく適用された属性情報毎に対応づけられた情報、例えば、属性情報毎に付与したＩＤを確認、保存する（Ｓ１１１５）。
【００６０】
次に、図１１で説明したシーケンスにおいて、携帯端末１０３がどのような処理を実行するかについて説明する。図１２は、携帯端末１０３（携帯端末１０１と同一）の属性情報変更部５１２の動作についてのフローチャートである。
【００６１】
まず、ステップＳ１２０１において、周囲の識別情報のスキャン結果を取得する。ステップＳ１２０２において、スキャン結果に識別情報が有るか否かを判定する。スキャン結果に識別情報がない場合（ステップＳ１２０２でＮＯ）、ステップＳ１２０８に進む。一方、スキャン結果に識別情報が有る場合（ステップＳ１２０２でＹＥＳ）、ステップＳ１２０３に進み、その識別情報に何が含まれているかによって、処理がかわる。
【００６２】
まず、ステップＳ１２０３において、識別情報にサッカー場１００３の識別情報である識別情報「Ａ」が含まれているか否かを判定する。識別情報「Ａ」が含まれている場合（ステップＳ１２０３でＹＥＳ）、新たに携帯端末１０３の識別情報に関連する属性情報を、サッカーに関係のある属性情報２（図３）にすることを決定する。その後、ステップＳ１２０４に進む。一方、識別情報「Ａ」が含まれていない場合（ステップＳ１２０３でＮＯ）、ステップＳ１２０６に進む。
【００６３】
ステップＳ１２０４において、現在すでに識別情報「Ａ」に由来している属性情報（即ち、属性情報２）を適用しているか否かを判定する。識別情報「Ａ」に由来している属性情報を適用している場合（Ｓ１２０４でＹＥＳ）、変更の必要がないため新たな処理は発生しない。この場合、ステップＳ１２１１に進む。一方、識別情報「Ａ」に由来している属性情報を適用していない場合（ステップＳ１２０４でＮＯ）、つまり、現在の属性情報が属性情報２でない場合、属性情報を変更させるために、ステップＳ１２０５に進み、属性情報変更要求処理を行う。
【００６４】
属性情報変更要求処理は、具体的には、変更要求をシステム管理サーバ１０８に送信する。このとき、携帯端末１０３に割り当てられた「０１：００：ＡＡ：００：００：０１」という識別情報と、携帯端末１０３が受信した識別情報「Ａ」を併せて送信する。属性情報管理サーバ１１０で、前者の情報は、属性情報の変更要求元が正しい要求元であるかを確認するため、後者の情報は、属性情報を変更するに当たり何に変更するか決定するために使用される。
【００６５】
ステップＳ１２０３において、識別情報「Ａ」が含まれていない場合（ステップＳ１２０３でＮＯ）、ステップＳ１２０６において、識別情報「Ｂ」が含まれているか否かを判定する。識別情報「Ｂ」が含まれている場合（ステップＳ１２０６でＹＥＳ）、つまり、サッカー場１００３の識別情報「Ａ」ではなく、野球場１００４の識別情報「Ｂ」を受信した場合、ステップＳ１２０７に進む。ステップＳ１２０７の処理の手順は、ステップＳ１２０４と同様になる。
【００６６】
すなわち、ステップＳ１２０７において、現在すでに識別情報「Ｂ」に由来した属性情報（即ち、属性情報３）を適用しているか否かを判定する。識別情報「Ｂ」に由来している属性情報を適用している場合（ステップＳ１２０７でＹＥＳ）は、変更の必要がないため新たな処理発生しない。この場合、ステップＳ１２１１に進む。一方、識別情報「Ｂ」に由来している属性情報を適用していない場合（ステップＳ１２０７でＮＯ）、つまり、現在の属性情報が属性情報３でない場合、属性情報を変更させるために、ステップＳ１２０５に進み、属性情報変更要求処理を行う。その際に、野球場の識別情報「Ｂ」を付与して属性情報変更要求をシステム管理サーバ１０８へ送信する。
【００６７】
ステップＳ１２０２において、スキャン結果に識別情報がない場合（ステップＳ１２０２でＮＯ）、または、識別情報が含まれていない場合（ステップＳ１２０６でＮＯ）、ステップＳ１２０８以降で、次の処理を行う。つまり、属性情報をデフォルトに直す必要があるかないかの判定（ステップＳ１２０８及びステップＳ１２０９）と、直す必要がある場合の処理（ステップＳ１２０５）を行う。
【００６８】
まず、ステップＳ１２０８において、現在、識別情報「Ａ」または識別情報「Ｂ」に由来した属性情報を適用しているか否かを判定する。いずれの識別情報に由来した属性情報を適用していない場合（ステップＳ１２０８でＮＯ）、既に属性情報がデフォルト設定である属性情報１になっているので、特に何も処理をする必要がない。一方、いずれかの識別情報に由来した属性情報を適用している場合（ステップＳ１２０８でＹＥＳ）、ステップＳ１２０９に進む。そして、ステップ１２０９において、属性情報２または属性情報３が適用されてから、どのくらいの時間、識別情報「Ａ」または識別情報「Ｂ」の何れも受信していないかを判定する。
【００６９】
つまり、ステップＳ１２０９において、一定時間内に識別情報「Ａ」または識別情報「Ｂ」を受信していないか否かを判定する。一定時間内に識別情報「Ａ」または識別情報「Ｂ」を受信している場合（ステップＳ１２０９でＮＯ）、ステップＳ１２１１に進む。一方、一定時間内に識別情報「Ａ」または識別情報「Ｂ」を受信していない場合（ステップＳ１２０９でＹＥＳ）、ステップＳ１２０５に進む。この場合、サッカー場１００３または野球場１００４から人物１０２が離脱したと考えられるため、ステップＳ１２０５において、属性情報をデフォルトに変更する属性情報変更要求処理を行う。この場合の属性情報変更要求には、識別情報「Ａ」も識別情報「Ｂ」も含めずに要求を送信する。それにより、属性情報管理サーバ１１０は、デフォルト設定である識別情報１に変更すれば良いと判定が可能になる。
【００７０】
一連の判定または処理をした後、ステップＳ１２１１において、属性情報変更要求処理の終了判定を行う。終了と判定しない場合（ステップＳ１２１１でＮＯ）、ステップＳ１２０１に戻る。終了と判定する場合（ステップＳ１２１１でＹＥＳ）、処理を終了する。この判定には、例えば、携帯端末１０３において、バッテリ残量が少なくなったら、属性情報変更処理を終了させると判定しても良い。
【００７１】
実施形態１では、サッカー場１００３または野球場１００４に人物１０２が近づいた際に、人物１０２を携帯端末１０１で撮像したときに表示される属性情報が、それぞれの場所に応じた人物１０２の趣味の属性情報に変更される例について説明している。
【００７２】
ところで、サッカー場１００３や野球場１００４ではないオブジェクトでも、あるオブジェクトおいて識別情報が付与されており、その識別情報を携帯端末１０３が受信可能であれば、本手法が適用可能である。例えば、人物１０２が人物１０４と一緒にいる場合に、人物１０２が人物１０２に関する属性情報を特別な属性情報に変更したい場合は、人物１０４の所持している携帯端末１０５に付与された識別情報を使用すればよい。さらに、人物１０２が人物１０４と一緒にいることを第三者に知られたくない場合は、携帯端末１０３が携帯端末１０５に付与された識別情報を検知した場合、人物１０２の属性情報をプロフィール情報から他の属性情報に変更させるようにしておくとよい。
【００７３】
さらに、実施形態１では、携帯端末１０３が検知した識別情報を元に属性情報を変更させているが、識別情報以外の情報でも適用可能である。例えば、図３において、属性情報適用条件に、ＧＰＳで取得した位置情報を登録しておく。そして、携帯端末１０３（携帯端末１０１と同一）に搭載されているセンサ部４０５のＧＰＳ機能により、特定の位置であることを検知した場合によって、属性情報を切り替えることも可能である。その場合は、携帯端末１０３が取得した位置情報を、属性情報変更要求に付与しておくことにより、属性情報管理サーバ１１０でどの属性情報に変更するべきか判定が可能となる。
【００７４】
また、センサ部４０５に生体センサが備わっていれば、その時々の体調やユーザの気分の高揚度を示す生体情報により、属性情報を切り替えることができる。これにより、例えば、ゲーム等でユーザ状況をより臨場感を出して表示することができる。さらに、携帯端末１０３が取得した周囲の属性情報を元に変更要求を出すことも可能である。その場合、例えば、複数の携帯端末等にかかる属性情報の統計から、一番多い属性情報に関連する属性情報に携帯端末１０３の属性情報も合わせる等の方法がある。
【００７５】
また、携帯端末１０３を所持した人物１０２が特定の人物、例えば、人物１０４と会っている場合に、人物１０４の所持している携帯端末１０５の識別情報にかかる属性情報と合わせるといった方法でもよい。これにより、人物１０４も人物１０２から所望の情報が得られるといった効果がある。
【００７６】
以上説明したように、実施形態１によれば、オブジェクトに複数の属性情報が登録されていた際に、オブジェクトに関する属性情報を、オブジェクトの状況や状態に関係する関係情報に応じて、自動で適応的に切り替えることができる。
【００７７】
ここで、関係情報とは、上記の位置情報、オブジェクトそのものの識別情報、オブジェクトの周辺環境（サッカー場１００３や野球場１００４等）の識別情報、生体情報等の、属性情報適用条件に利用可能な各種情報である。また、関係情報とは、オブジェクトに関係する装置のセンサの出力情報であってもよい。また、関係情報とは、オブジェクトに関連付けられた複数の属性情報から少なくとも何れか一つを選択するための情報である。
＜実施形態２＞
実施形態１は、画像表示システムの基本構成、及び、あるオブジェクトに関する属性情報を、そのオブジェクトに付与された識別情報を使用して変更する方法である。これに対して、実施形態２では、あるオブジェクトに関する属性情報を、他のオブジェクトに付与された識別情報で変更する場合について説明する。
【００７８】
最初に、適用可能なシステムについて図１０（ｂ）を用いて説明する。図１０（ａ）との差分は、サッカー場１００３に備え付けられている端末が、識別情報発信器１００１から携帯端末１００６になっている。携帯端末１００６は携帯端末１０１と機能は同等で、「Ａ」という識別情報が付与されているものとする。また、野球場１００４に備え付けられている端末が、識別情報発信器１００２から携帯端末１００７になっている。携帯端末１００７においても携帯端末１０１と機能は同等で、「Ｂ」という識別情報が付与されているものとする。尚、ここでは、携帯端末１００６及び１００７は、携帯端末１０１と同一の機能を有していれば、必ずしも携帯端末である必要はない。
【００７９】
次に、人物１０２に付与されている属性情報について、図１３を用いて説明する。人物１０２において、人物１０２と結ばれている携帯端末１０３の識別情報は「０１：００：ＡＡ：００：００：０１」が登録されている。人物１０２の名前は「たろう」と登録されている。
【００８０】
属性情報変更許可識別情報には、属性情報を変更させる際に属性情報管理サーバ１１０が受信する属性情報変更要求において、受付を許可する要求元に関連付けられた識別情報が登録されている。この情報フィールドは、事前に人物１０２の許可の元に登録されている必要がある。本例では、人物１０２の識別情報「０１：００：ＡＡ：００：００：０１」、または、サッカー場１００３の識別情報「Ａ」、または、野球場１００４の識別情報「Ｂ」が、事前に人物１０２によって登録されているものとする。従って、これら３つの識別情報の何れか、属性情報変更要求の要求元の情報に含まれている場合、属性情報管理サーバ１１０は人物１０２に関する属性情報の変更を許可する。
【００８１】
動作シーケンスについて説明する。図１０（ｂ）において、人物１０２が携帯端末１０３を所持している状態である。携帯端末１０３は定期的に、携帯端末１０３に付与されている識別情報である「０１：００：ＡＡ：００：００：０１」を定期的に発信しているものとする。また、サッカー場１００３に備え付けられた携帯端末１００６、及び、野球場に備え付けられた携帯端末１００７は、定期的に周囲の識別情報のスキャンを行っているものとする。この状態で、人物１０２がオフィス街１００５からサッカー場１００３へ移動を開始する。
【００８２】
あるタイミングで、携帯端末１００６が携帯端末１０３の識別情報である「０１：００：ＡＡ：００：００：０１」を受信する。その時、携帯端末１００６は、システム管理サーバ１０８へ、識別情報「０１：００：ＡＡ：００：００：０１」と関連付けられた属性情報に関して属性情報変更要求を送信する。属性情報変更要求の送信時には、要求元情報に携帯端末１００６に付与された識別情報「Ａ」を付与し、また、属性情報の変更を要求するターゲット情報に携帯端末１０３の識別情報である「０１：００：ＡＡ：００：００：０１」を付与しておく。
【００８３】
これにより、属性情報管理サーバ１１０では、属性情報変更要求を受信したときに、要求元情報とターゲット情報が正しいか確認することができる。どの属性情報に変更させるかの判定は、実施形態１と同様でもよいし、他の方法を用いても良い。例えば、要求元情報の識別情報と変更すべき属性情報が事前に１対１に対応づけられていても良いし、要求元が属性情報の選択を行い、その属性情報の選択にかかる情報を属性情報管理サーバ１１０が解読できる形で送信しても良い。
【００８４】
実施形態２の方法を実施形態１の方法と併用して用いることにより、システムのロバスト性が向上される。以下に、理由を説明する。例えば、実施形態１のみを適用したシステムでは、次の問題が起こりうる。つまり、図１０（ａ）で、携帯端末１０３が識別情報発信器１００１の識別情報「Ａ」を受信できることが期待される位置にいる場合においても受信できない、もしくは、システム管理サーバ１０８に要求を送信できない場合には、適切に属性情報を変更できない。しかしながら、このような状況下でも、実施形態２を併用することにより、図１０（ｂ）における携帯端末１００６側で、属性情報を変更できるようになる。
【００８５】
実施形態２においても、実施形態１と同様に様々な場合に適用できる。実施形態２では、サッカー場１００３、野球場１００４を例にしているが、ある人物であってもよい。
【００８６】
また、属性情報変更要求と属性情報取得要求は、各々に必要な情報フィールドを含んでいれば、一つの要求としてまとめて送信することも可能であることは言うまでもない。
【００８７】
従来では、人物１０２がその都度、適切に属性情報を変更させなければ、図１４（ａ）のように、プロフィール情報１４０１のみの取得しかできない。しかし、実施形態２のように、事前に人物１０２の属性情報変更要許可情報が登録されているユーザであれば、人物１０２が特別な操作を行わなくとも図１４（ｂ）のように、該ユーザが所望すると思われる属性情報１４０３を表示した合成画像を得ることができる。
＜実施形態３＞
その他の構成として、本発明は、静止画によらず動画像において人物を特定し、属性情報を表示してもよい。その場合、動画像の各フレームを静止画として連続して処理することで実現してもよい。
【００８８】
識別情報の発信や取得等に関わる通信は、ＩＥＥＥ８０２．１１に則った無線ＬＡＮの通信に限らず、Ｂｌｕｅｔｏｏｔｈ（登録商標）やパッシブ／アクティブ型のＲＦＩＤ等の他の無線通信でもよい。また、無線ＬＡＮとパッシブ型ＲＦＩＤ等の複数の無線通信インタフェースで同時に、識別情報に関する通信を行ってもよい。
【００８９】
また、プレビュー画像から本画像を表示する際に、プレビュー画像でおおよその位置に合成された吹き出し画像を、特定したオブジェクトの近傍までアニメーション等の画像効果を伴って移動させて表示してもよい。また、このとき、特定できたオブジェクトから順に、そのオブジェクト近傍に吹き出し画像をアニメーションで移動させてもよい。
【００９０】
また、表示されている吹き出し画像で、オブジェクトを特定できなかった吹き出し画像を画像中から消去する場合においてもアニメーションで表示してもよい。例えば、風船のように破裂させて画面上から消去してもよいし、画面外にアニメーションで移動して表示しないようにしてもよい。
【００９１】
また、画面上から消去するのではなく、画面のフレーム近傍に最小化して表示したり、半透明の画像で表示したり、表示方法を変更する方法でもよい。その際には、特定のオブジェクトに結びついていないことがユーザにわかりやすい方法であることが好ましい。
【００９２】
また、図６においては、撮像を開始してから、識別情報、属性情報、特徴情報を取得しているが、シャッターボタンを押す前に予め、取得しておいてもよい。
【００９３】
属性情報の扱い方として、テキスト情報の表示に限定しなくても良い。例えば、属性情報にＵＲＬが設定されている場合は、該当ＵＲＬへのアクセスできるリンク情報として表示をさせてもよい。また、表示装置に提供する属性情報を関係情報に基づいて複数選択し、選択した複数の属性情報を表示装置がオブジェクトに関連付けて表示するようにしても良い。
【００９４】
また、上記実施形態では、サーバ機能を、中継サーバ１０７、システム管理サーバ１０８、特徴情報管理サーバ１０９、属性情報管理サーバ１１０に分けて記載しているが、システム規模、実装形態によってどのように配置されても良い。例えば、１台のサーバに集約しても良いし、さらに複数のサーバに処理を配分しても良い。即ち、上述の実施形態で説明した画像表示システムのシステム構成は一例に過ぎず、各要素の一部乃至全ての機能が一つの情報処理装置で構成されていても構わない。また、各要素の一部の機能を別の装置が実行する構成しても構わない。
【００９５】
さらに、上記実施形態では、携帯端末１０１でオブジェクトの特定を行っているが、例えば、画像データをサーバ側に送り、サーバ側でオブジェクトの特定処理を行っても良い。
【００９６】
また、属性情報管理サーバ１１０で管理される各種情報（属性情報、属性情報適用条件、属性情報変更許可識別情報等）は、サーバ管理者が外部装置（例えば、携帯端末１０１）を介して更新、登録することができるようにしても良い。
【００９７】
さらに、上記実施形態では、携帯端末１０１で画像合成処理を行っているが、サーバ側で行っても良い。例えば、画像データをサーバ側に送り、サーバ側で属性情報を付与された合成画像を作成し、それを携帯端末１０１に送り、携帯端末は合成画像を表示するといった方法でも良い。
【００９８】
以上説明したように、上述の実施形態に係る画像表示システムによれば、オブジェクトと、そのオブジェクトに関する属性情報とを関連付けて管理する。そして、オブジェクトに関係する位置情報、装置の識別情報、装置のセンサの出力情報のうち少なくとも何れか一つを前記オブジェクトに関係する関係情報として受信し、該関係情報に基づいて前記複数の属性情報から少なくとも何れか一つを選択する。前記画像表示装置から前記オブジェクトの属性情報を要求された場合、選択された属性情報を前記画像表示装置に提供する。したがって、オブジェクトに複数の属性情報が登録されていた際に、オブジェクトに関する属性情報を、オブジェクトの状況や状態に関係する関係情報に応じて、自動で適応的に切り替えることができる。
【００９９】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2014035642.tif 000003
【図２】
2014035642.tif 000004
【図３】
2014035642.tif 000005
【図４】
2014035642.tif 000006
【図５】
2014035642.tif 000007
【図６】
2014035642.tif 000008
【図７】
2014035642.tif 000009
【図８】
2014035642.tif 000010
【図９】
2014035642.tif 000011
【図１０】
2014035642.tif 000012
【図１１】
2014035642.tif 000013
【図１２】
2014035642.tif 000014
【図１３】
2014035642.tif 000015
【図１４】
2014035642.tif 000016